(57)【要約】【課題】ユーザが選択した番組のみ選択的に視聴できる携帯用保存装置、それを利用した映像機器及び映像機器のチャンネル制限方法を提供する。【解決手段】放送チャンネルを制限できるチャンネル制限情報を保存するチャンネル情報保存部と、放送を出力できる映像機器に保存されたチャンネル制限情報を伝送するチャンネル情報伝送部と、を備える携帯用保存装置。また、前記チャンネル制限情報は、前記映像機器に保存された番組情報のうちユーザが選択した番組情報を含む。【選択図】図３
2006217598.tif 000002
【特許請求の範囲】
【請求項１】
放送チャンネルを制限できるチャンネル制限情報を保存するチャンネル情報保存部と、放送を出力できる映像機器に前記保存されたチャンネル制限情報を伝送するチャンネル情報伝送部と、を備える携帯用保存装置。
【請求項２】
前記チャンネル制限情報は、前記映像機器に保存された番組情報のうちユーザが選択した番組情報を含む請求項１に記載の携帯用保存装置。
【請求項３】
前記番組情報は、所定番組に対する番組名、番組放送時間及び番組放送チャンネルのうち少なくとも一つを含む請求項２に記載の携帯用保存装置。
【請求項４】
前記番組情報は、ＲＦＩＤ、バーコード及びカラーコードのうち少なくとも一つの形態からなる請求項３に記載の携帯用保存装置。
【請求項５】
ユーザが視聴できる放送番組に関する番組情報を保存する番組情報保存部と、
前記番組情報のうちユーザが選択した放送番組に関する番組情報を抽出する番組情報抽出部と、
前記抽出された番組情報を所定の携帯用保存装置に記録する番組情報記録部と、を備える映像機器。
【請求項６】
前記番組情報保存部は、所定の放送番組に対する番組名、番組放送時間及び番組放送チャンネルのうち少なくとも一つを含む請求項５に記載の映像機器。
【請求項７】
前記番組情報記録部は、前記携帯用保存装置にＲＦＩＤ、バーコード及びカラーコードのうち少なくとも一つの形態で前記抽出された番組情報を記録する請求項６に記載の映像機器。
【請求項８】
所定の携帯用保存装置に記録された放送チャンネルを制限できるチャンネル制限情報を読み取るチャンネル情報読み取り部と、
前記読み取られたチャンネル制限情報による番組に関する番組情報を抽出する番組情報抽出部と、
前記抽出された番組情報に該当する番組を選択的に出力する制御部と、を備える映像機器。
【請求項９】
前記チャンネル制限情報は、ＲＦＩＤ、バーコード及びカラーコードのうち少なくとも一つの形態からなる請求項８に記載の映像機器。
【請求項１０】
前記抽出される番組情報は、該当番組に対する番組名、番組放送時間及び番組放送チャンネルのうち少なくとも一つを含む請求項９に記載の映像機器。
【請求項１１】
前記抽出された番組情報を印刷する番組情報印刷部をさらに備える請求項１０に記載の映像機器。
【請求項１２】
ユーザが視聴できる放送番組に関する番組情報を保存するステップと、  前記保存された番組情報のうちユーザが選択した放送番組に関する番組情報を抽出するステップと、
前記抽出された番組情報を所定の携帯用保存装置に記録するステップと、を含む映像機器のチャンネル制限方法。
【請求項１３】
前記保存された番組情報は、所定の放送番組に対する番組名、番組放送時間及び番組放送チャンネルのうち少なくとも一つを含む請求項１２に記載の映像機器のチャンネル制限方法。
【請求項１４】
前記携帯用保存装置に記録される番組情報は、ＲＦＩＤ、バーコード及びカラーコードのうち少なくとも一つの形態からなる請求項１３に記載の映像機器のチャンネル制限方法。
【請求項１５】
所定の携帯用保存装置に記録された放送チャンネルを制限できるチャンネル制限情報を読み取るステップと、
前記読み取られたチャンネル制限情報による放送番組に関する番組情報を抽出するステップと、
前記抽出された番組情報に該当する放送番組を選択的に出力するステップと、を含む映像機器のチャンネル制限方法。
【請求項１６】
前記チャンネル制限情報は、ＲＦＩＤ、バーコード及びカラーコードのうち少なくとも一つの形態からなる請求項１５に記載のチャンネル制限方法。
【請求項１７】
前記抽出される番組情報は、該当番組に対する番組名、番組放送時間及び番組放送チャンネルのうち少なくとも一つを含む請求項１６に記載のチャンネル制限方法。
【請求項１８】
前記抽出された番組情報を印刷するステップをさらに備える請求項１７に記載のチャンネル制限方法。
【発明の詳細な説明】
【技術分野】
【０００１】
本発明は、携帯用保存装置、それを利用した映像機器及び映像機器のチャンネル制限方法に係り、さらに詳細には、ユーザが選択した番組のみ選択的に視聴できる携帯用保存装置、それを利用した映像機器及び映像機器のチャンネル制限方法に関する。
【背景技術】
【０００２】
現在、放送、通信、電子技術の発達と共にテレビの使用が大衆に一般化され、テレビは、既存活字媒体、ラジオ媒体に代わる強力な情報伝達手段として注目されている。
また、映像、映画産業の発達と共に過去には見られなかった多様な種類のドラマ、映画が製作されてテレビを通じて放送されており、テレビがあらゆる家庭に普及されるにつれて家族構成員が放送番組を常時視聴できる。テレビは、放送される電波を受信し、受信された電波を処理して画面に出力する装置であり、老若男女だれでも視聴可能である。
【０００３】
したがって、テレビは、既存の映画館とは違ってドラマや映画などを放送でき、チャンネルを変更するボタンを通じて自由に番組を視聴できるため、成人間の価値判断で意識が可能な暴力的、エロチックな場面が何らろ過なしに子供、青少年にさらされるという問題点を持っている。これにより、放送番組の検閲はいつも社会的な問題となっている。
しかし、文化的、社会的、娯楽的な目的を持つ多様な内容の番組をいずれも放送する必要があるマスメディア媒体であるテレビとしては、いつもあらゆる年齢層が視聴可能な番組のみを放送するわけではないので、テレビを視聴する視聴者の年齢によって受信される番組をろ過できる機能が必要になった。
【０００４】
このような必要性に応じて、米国の家電製品生産企業協会（Ｃｏｎｓｕｍｅｒ Ｍａｎｕｆａｃｔｕｒｅｒｓ Ａｓｓｏｃｉａｔｉｏｎ、ＣＥＭＡ）は、１９９７年１０月１日に国際放送業者協会、動画協会、数多くの教育者らと父母の集団により連邦通信協会（Ｆｅｄｅｒａｌ Ｃｏｍｍｕｎｉｃａｔｉｏｎ Ｃｏｍｍｉｓｓｉｏｎ、ＦＣＣ）に提出されたテレビ番組等級指針（ＴＶ Ｐａｒｅｎｔａｌ Ｇｕｉｄｅｌｉｎｅ）の承認に賛成した。
ＣＥＭＡの決定以後、委員長であるＥＤ Ｍａｒｋｅｙはその技術をＶ−ＣＨＩＰと呼び、このような技術があらゆるテレビに含まれねばならないと主張した。Ｖ−ＣＨＩＰは、テレビ放送信号の２１番目の走査前に含まれたキャプション信号と共に現在放送中の番組の等級情報を含むパケットを送って、Ｖ−ＣＨＩＰが受信された等級信号を基準にテレビが現在受信している番組の許容／遮断如何を制御する半導体チップであり、ＣＥＭＡのエンジニアリン委員会で開発された。
【０００５】
テレビ番組等級指針によれば、番組の等級はあらゆる子供用等級であるＴＶ−Ｙ、７才以上の子供のための等級であるＴＶ−Ｙ７、大部分の視聴者に適した等級であるＴＶ−Ｇ、父母の指導が要請される等級であるＴＶ−ＰＧ、父母が強く禁止させる等級であるＴＶ−１４、及び成人間専用等級であるＴＶ−ＭＡに区分され、Ｖ−ＣＨＩＰにより受信されたパケットには、現在番組が受信する番組の等級及び各等級に対して遮断する場面の性質を表す情報が含まれる。各等級に対して空想的な暴力場面ＦＶ、暴力場面Ｖ、エロチックな場面Ｓ、成人間言語場面Ｌ、誘惑的な対話場面Ｄを表す情報がある。
【０００６】
また、家族構成員は、それぞれのパスワードを持っていて初めて本人の等級に合う放送を視聴できる。しかし、このようなパスワードは、容易に他人に露出されうるため、効果的にテレビの視聴を制限し難いという短所がある。
特許文献１は、番組視聴を制限するためのユーザ認識カードを使用するテレビ視聴制限装置を開示しているが、それは、ユーザ認識カードを通じてあらかじめ定められた等級に該当する番組のみを視聴できるようにするものであり、ユーザが別途に選択した番組のみを視聴し難いという問題点がある。
【特許文献１】韓国公開特許第２０００−９８５４号公報
【発明の開示】
【発明が解決しようとする課題】
【０００７】
本発明は、ユーザが選択した番組に関する番組情報を通じて該当番組のみを視聴できる携帯用保存装置、それを利用した映像機器及び映像機器のチャンネル制限方法を提供するところにその目的がある。
本発明の目的は、以上で言及した目的に制限されず、言及されていない他の目的は下の記載から当業者に明確に理解されうる。
【課題を解決するための手段】
【０００８】
前記目的を達成するために、本発明の実施形態による携帯用保存装置は、放送チャンネルを制限できるチャンネル制限情報を保存するチャンネル情報保存部と、放送を出力できる映像機器に前記保存されたチャンネル制限情報を伝送するチャンネル情報伝送部と、を備える。
また、前記目的を達成するために、本発明の実施形態による映像機器は、ユーザが視聴できる放送番組に関する番組情報を保存する番組情報保存部と、前記番組情報のうちユーザが選択した放送番組に関する番組情報を抽出する番組情報抽出部と、前記抽出された番組情報を所定の携帯用保存装置に記録する番組情報記録部と、を備える。
【０００９】
また、前記目的を達成するために、本発明の実施形態による映像機器は、所定の携帯用保存装置に記録された放送チャンネルを制限できるチャンネル制限情報を読み取るチャンネル情報読み取り部と、前記読み取られたチャンネル制限情報による番組に関する番組情報を抽出する番組情報抽出部と、前記抽出された番組情報に該当する番組を選択的に出力する制御部と、を備える。
また、前記目的を達成するために、本発明の実施形態による映像機器のチャンネル制限方法は、ユーザが視聴できる放送番組に関する番組情報を保存するステップと、前記保存された番組情報のうちユーザが選択した放送番組に関する番組情報を抽出するステップと、前記抽出された番組情報を所定の携帯用保存装置に記録するステップと、を含む。
【００１０】
前記目的を達成するために、本発明の実施形態による映像機器のチャンネル制限方法は、所定の携帯用保存装置に記録された放送チャンネルを制限できるチャンネル制限情報を読み取るステップと、前記読み取られたチャンネル制限情報による放送番組に関する番組情報を抽出するステップと、前記抽出された番組情報に該当する放送番組を選択的に出力するステップと、を含む。
その他の実施例の具体的な事項は詳細な説明及び図面に含まれている。
【発明の効果】
【００１１】
本発明の携帯用保存装置、それを利用した映像機器及び映像機器のチャンネル制限方法によれば、ユーザが選択した番組に関する番組情報を携帯用保存装置に保存し、番組情報が保存された携帯用保存装置を利用して、ユーザが選択した番組のみを映像機器を通じて視聴できる。
【発明を実施するための最良の形態】
【００１２】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００１３】
以下、添付した図面を参照して本発明の望ましい実施形態について詳細に説明する。
図１は、本発明の実施形態による映像システムが図示された図面である。
図示されたように、本発明の実施形態による映像システム１００は、ユーザが選択した番組に関する番組情報を保存する携帯用保存装置１１０と、保存された番組情報に該当する番組のみ出力する映像機器１２０と、を備えることができる。
本発明の実施形態で使われる携帯用保存装置１１０は、フラッシュメモリのような不揮発性メモリ、バーコードやカラーコードが印刷されるか、または非接触時に自動認識技術であるＲＦＩＤ（Ｒａｄｉｏ Ｆｒｅｑｕｅｎｃｙ ＩＤｅｎｔｉｆｉｃａｔｉｏｎ）チップが搭載されたＩＣカードを備えられる。また、本発明の実施形態による携帯用保存装置１１０は、前述した不揮発性メモリ、ＩＣカードに限定されず、前述した不揮発性メモリ、ＩＣカードが搭載された携帯電話及びＰＤＡなどの携帯用通信機器でありうる。
【００１４】
図２は、本発明の実施形態による携帯用保存装置を図示した図面である。
図示されたように、本発明の実施形態による携帯用保存装置１１０は、放送チャンネルを制限できるチャンネル制限情報を保存するチャンネル情報保存部１１１と、放送を出力できる映像機器１２０へチャンネル情報保存部１１１に保存されたチャンネル制限情報を伝送するチャンネル情報伝送部１１２と、を備えられる。
チャンネル情報保存部１１１に保存されたチャンネル制限情報は、ユーザが選択した番組に関する番組情報（例えば、番組名、番組放送時間及び番組放送チャンネルなど）及びその他の情報（例えば、メモなど）を含むことができる。
チャンネル情報伝送部１１２は、携帯用保存装置１１０が映像機器１２０と接続された場合、チャンネル情報保存部１１１に保存されたチャンネル制限情報を映像機器１２０に伝送できる。
【００１５】
このようなチャンネル情報伝送部１１２は、携帯用保存装置１１０が前述した不揮発性メモリである場合、不揮発性メモリに保存されたチャンネル制限情報を映像機器１２０に伝送する。一方、携帯用保存装置１１０が、前述したバーコード及びカラーコードやＲＦＩＤチップが搭載されたＩＣカードである場合、チャンネル情報伝送部１１２は、チャンネル情報保存部１１１と統合されて構成できる。言い換えれば、チャンネル制限情報がバーコード、カラーコード及びＲＦＩＤチップの形態で保存された場合には、映像機器１２０でバーコード、カラーコード及びＲＦＩＤチップから直接チャンネル制限情報を読み取ることができるため、チャンネル情報保存部１１１がチャンネル情報伝送部１１２の役割まで共に行えるためである。
【００１６】
図３は、本発明の実施形態による映像機器を図示した図面である。
映像機器１２０は、ユーザが視聴できるあらゆる放送番組に対する番組情報を保存する番組情報保存部１２１と、番組情報保存部１２１に保存された番組情報のうちユーザが選択した放送番組に関する番組情報を抽出する番組情報抽出部１２２と、抽出された番組情報を携帯用保存装置１１０に記録する番組情報記録部１２３と、を備えられる。
番組情報保存部１２１は、ユーザが視聴できるあらゆる放送番組に関する番組情報を受信して保存することができる。このとき、受信された番組情報は、放送番組の番組名、番組放送時間、番組放送チャンネル及び番組内容などを含むことができる。番組情報抽出部１２２は、ユーザが番組情報保存部１２１に保存された番組情報を電子番組ガイドのように所定のグラフユーザインターフェースを通じて確認し、確認結果、選択した番組に関する番組情報を抽出できる。
【００１７】
番組情報記録部１２３は、抽出された番組情報を前述した携帯用保存装置１１０に記録できる。このとき、番組情報記録部１２３は、番組情報を単純に携帯用保存装置１１０に保存するか、バーコード及びカラーコードの形態で印刷するか、ＲＦＩＤチップをリマッピングして記録できる。言い換えれば、携帯用保存装置１１０が不揮発性メモリである場合、抽出された番組情報を不揮発性メモリに記録し、携帯用保存装置１１０がバーコードやカラーコードが印刷されるＩＣカードである場合、ＩＣカードに抽出された番組情報によってバーコードやカラーコードを印刷できる。また、携帯用保存装置１１０が、ＲＦＩＤチップが搭載されたＩＣカードである場合、ＲＦＩＤチップをリマッピングして番組情報を記録できる。
【００１８】
一方、映像機器１２０は、携帯用保存装置１１０のチャンネル制限情報を読み取るチャンネル情報読み取り部１２４と、読み取られたチャンネル制限情報に該当する放送番組のみ出力する制御部１２５とをさらに備えられる。
具体的に、チャンネル制限情報が保存された携帯用保存装置１１０が映像機器１２０と接続すれば、チャンネル情報読み取り部１２４は、チャンネル情報保存部１１１に保存されたチャンネル制限情報を読み取ることができる。このとき、携帯用保存装置１１０が映像機器１２０と接続するということは、互いに接触して電気的に連結されるということを意味する。これは例示的なものであり、‘接続’とは、携帯用保存装置１１０が映像機器１２０と非接触状態で無線媒体を通じて互いに通信できる状態にあるということも意味する。
【００１９】
読み取り結果によって、前述した番組情報抽出部１２２は、チャンネル情報保存部１１１からチャンネル制限情報を抽出できる。制御部１２５は、抽出されたチャンネル制限情報に該当する番組のみ出力する。具体的に、抽出されたチャンネル制限情報は、該当番組対する番組名、番組放送時間及び番組放送チャンネルなどを含むことができ、制御部１２５は、該当番組が放送される時間に該当チャンネルに自動変換して番組を出力させる。また、制御部１２５は、該当番組が放送される時間以前ならば、該当時間に映像機器１２０の電源をオンにすることができる。
【００２０】
一方、映像機器１２０は、抽出されたチャンネル制限情報を印刷する印刷部１２６をさらに備えることができる。このような印刷部１２６は、該当番組の番組情報以外にユーザが追加したその他の情報などを印刷できる。このようなその他の情報は、ユーザが携帯用保存装置１１０にチャンネル制限情報を保存する時に共に入力できる。したがって、ユーザは、印刷された番組情報を通じて視聴できる番組を確認できる。また、印刷部１２６は、前述した番組情報及びその他の情報以外にも該当番組に対するバーコードやカラーコードを印刷できる。したがって、ユーザは、印刷された番組情報のバーコードやカラーコードを通じて該当番組を視聴できる。
【００２１】
図４は、本発明の実施形態による印刷部により印刷された番組情報を図示した図面である。
図示されたように、印刷された番組情報は、該当番組の番組名１３１、番組放送時間１３２、番組放送チャンネル１３３及びその他の情報１３４などを含むことができる。したがって、ユーザは、視聴可能な番組を印刷された番組情報を通じて容易に確認できる。
【００２２】
図５は、本発明の実施形態によって携帯用保存装置にチャンネル制限情報を保存する方法が図示された図面である。
図示されたように、ユーザが映像機器１２０に保存された番組情報を所定のグラフユーザインターフェースを通じて確認する（Ｓ１１０）。例えば、ユーザは、番組情報保存部１２１に保存された番組情報（例えば、番組名、番組放送時間及び番組放送チャンネルなど）を確認する。
ユーザは、番組情報の確認後、所望の放送番組に関する番組情報を選択する（Ｓ１２０）。
番組情報抽出部１２２は、ユーザにより選択された放送番組の番組情報を番組情報保存部１２１から抽出する（Ｓ１３０）。
次いで、番組情報記録部１２３は、携帯用保存装置１１０に抽出された番組情報を記録する（Ｓ１４０）。このとき、番組情報記録部１２３は、抽出された番組情報をバーコード、カラーコード及びＲＦＩＤチップを通じて記録できる。また、ユーザは抽出された番組情報記録時、メモのようなその他の情報を共に入力できる。このとき、入力されたその他の情報は、番組情報と共に携帯用保存装置１１０に記録できる。
【００２３】
図６は、本発明の実施形態によって携帯用保存装置に保存されたチャンネル制限情報によって選択的に番組を出力する方法を図示した図面である。
図示されたように、携帯用保存装置１１０と映像機器１２０とが接続する（Ｓ２１０）。このとき、携帯用保存装置１１０と映像機器１２０とは互いに接触して電気的に接続されてもよく、無線媒体を通じて非接触状態で互いに通信が行われてもよい。
携帯用保存装置１１０と映像機器１２０とが接続すれば、チャンネル情報読み取り部１２４は、チャンネル情報保存部１１１に保存されたチャンネル制限情報を読み取る（Ｓ２２０）。読み取り結果によって、番組情報抽出部１２２は、チャンネル情報保存部１１１に保存されたチャンネル制限情報を抽出する（Ｓ２３０）。このとき、抽出されたチャンネル制限情報は、該当番組の番組名、番組放送時間、番組放送チャンネル及びその他の情報などを含むことができる。
【００２４】
制御部１２５は、抽出されたチャンネル制限情報による番組のみ選択的に出力する（Ｓ２４０）。言い換えれば、抽出されたチャンネル制限情報に含まれた番組が放送される時間及びチャンネルのみ視聴できるようにする。例えば、抽出されたチャンネル制限情報に該当する番組の放送時間が午後７時〜午後９時であり、現在時間が午後５時である場合、制御部１２５は、午後７時に映像機器１２０の電源をオンさせて該当放送番組を出力させることができる。
一方、印刷部１２６は、抽出されたチャンネル制限情報を印刷してユーザが視聴できる放送番組に関する番組情報及びその他の情報などを容易に確認できる。
【００２５】
このように、携帯用保存装置１１０を通じてユーザが選択した番組を視聴することは、テレビだけでなく注文型ビデオ（Ｖｉｄｅｏ Ｏｎ Ｄｅｍａｎｄ）サービスのように所定費用を支払って所望の番組を視聴する場合にも使われうる。また、携帯用保存装置１１０の使用回数を制限して、個人間情報を全く要求せず、自販機のような無人販売が可能になる。
【００２６】
以上、本発明の実施形態による携帯用保存装置,それを利用した映像機器及び映像機器のチャンネル制限方法を 例示された図面を参照として説明したが、本発明は本明細書に開示された実施例及び図面によって限定されるものではなく、その発明の技術思想範囲内で当業者により多様に変形可能であることはいうまでもない。
【産業上の利用可能性】
【００２７】
本発明は、携帯用保存装置の関連技術分野に好適に用いられる。
【図面の簡単な説明】
【００２８】
【図１】本発明の実施形態による映像システムを示す図面である。
【図２】本発明の実施形態による携帯用保存装置を示す図面である。
【図３】本発明の実施形態による映像機器を示す図面である。
【図４】本発明の実施形態による印刷部により印刷された番組情報を示す図面である。
【図５】本発明の実施形態によって携帯用保存装置にチャンネル制限情報を記録する方法を示す図面である。
【図６】本発明の実施形態によって携帯用保存装置に保存されたチャンネル制限情報に該当する番組を出力する方法を示す図面である。
【符号の説明】
【００２９】
１１０    携帯用保存装置
１２０    映像機器
１２１    番組情報保存部
１２２    番組情報抽出部
１２３    番組情報記録部
１２４    チャンネル情報読み取り部
１２５    制御部
１２６    印刷部
【図１】
2006217598.tif 000003
【図２】
2006217598.tif 000004
【図３】
2006217598.tif 000005
【図４】
2006217598.tif 000006
【図５】
2006217598.tif 000007
【図６】
2006217598.tif 000008